(57)【要約】  本発明は、構成部品、特にサンバイザを固定する自動車の固定装置に関する。前記固定装置は、第１回転軸線、特に垂直回転軸線の回りで旋回できるが、車体に関して固定される片持ちアームを備える。構成部品は、第２回転軸線、特に水平回転軸線の回りで片持ちアームに関して傾斜できる。構成部品は、第２回転軸線の回りで傾斜できるという事実に加えて、構成部品の位置は片持ちアームに関して変更できる。
2008532847.tif 000002
【特許請求の範囲】
【請求項１】
構成部品（６）、特にサンバイザを固定する固定装置（５）において、固定装置（５）は、第１回転軸線、特に垂直回転軸線（３）の回りで回転できるが、他方では、車体に固定される片持ちアーム（４）を備え、構成部品（６）は第２回転軸線、特に水平軸線（７．３）の回りで片持ちアーム（４）に関して傾斜でき、構成部品（６）は第２回転軸線（７．３）の回りで傾斜できるという事実に加えて、構成部品（６）は、構成部品の位置が片持ちアーム（４）に関して変更できるように設けられることを前記固定装置。
【請求項２】
構成部品（６）は片持ちアーム（４）に固定される傾斜アーム（７）に連結され、第２回転軸線（７．３）の回りで片持ちアームに関して傾斜でき、傾斜アーム（７）に関して運動可能に設けられることを特徴とする請求項１に記載の固定装置（５）。
【請求項３】
構成部品（６）は、傾斜アーム（７）に沿って縦に移動可能に設けられることを特徴とする前記請求項の内の１項に記載の固定装置（５）。
【請求項４】
構成部品（６）は、第３回転軸線（７．４）の回りで傾斜アーム（７）に関して回転可能に設けられることを特徴とする前記請求項の内の１項に記載の固定装置（５）。
【請求項５】
第３回転軸線（７．４）は、第２回転軸線（７．３）に対して実質的に平行に配置されることを特徴とする前記請求項の内の１項に記載の固定装置（５）。
【請求項６】
片持ちアーム（４）は、保持手段（１）と担体部分（２）を備えることを特徴とする前記請求項の内の１項に記載の固定装置（５）。
【請求項７】
第１回転軸線（３）と第２回転軸線（７．３）との間の空間は変更できることを特徴とする前記請求項の内の１項に記載の固定装置（５）。
【請求項８】
固定装置は、構成部品（６）の位置を変更する能力を制限する停止手段を備えることを特徴とする前記請求項の内の１項に記載の固定装置（５）。
【請求項９】
停止手段は、第１回転軸線（３）の回りで片持ちアーム（４）の回転の抑制を検出するセンサ手段を備えることを特徴とする前記請求項の内の１項に記載の固定装置（５）。
【請求項１０】
構成部品は、特にサンバイザである前記請求項の内の１項に記載の固定装置（５）を備えた自動車の構成部品（６）
【発明の詳細な説明】
【技術分野】
【０００１】
本発明は、構成部品、特にサンバイザを固定する自動車の固定装置に関し、固定装置は、第１回転軸線、特に垂長な回転軸線の回りで旋回できるが、他方、車体に関して固定される片持ちアームを備え、構成部品は、第２回転軸線、特に水平回転軸線の回りで片持ちアームに関して傾斜できる。本発明は、さらに、構成部品、特にサンバイザに関するものである。
【背景技術】
【０００２】
サンバイザは、度々、乗客の太陽光線保護として自動車内で使用される。
【０００３】
ドイツ国実用新案第２００１２４８８号公報は、Ｌ形保持手段を備えた自動車のサンバイザを開示し、保持手段は、垂直軸線の回りで自動車屋根に回転可能に装着され、日よけ表面の角に配置される。日よけ表面は、自動車屋根と平行に配置される位置から、走行方向に対して実質的に垂直で横断して配置される位置へ傾斜できる。垂直軸線の回りでの回転により、前記日よけ表面は走行方向へ延びるように回転できる。サンバイザは、１つ以上の追加のバイザを備え、追加のバイザにより、日よけ表面が垂直方向へ傾斜される特に、保護される表面は拡大できる。
【０００４】
ドイツ国特許公開第１０１５３１５３号公報は、突出保持体が配置される垂直軸線の回りで回転できる支持ブロックを備えるサンバイザを開示する。保持体上で、サンバイザ本体は水平軸線の回りで回転でき、支持ブロックに関して実質的に中央に配置される。前記サンバイザは、また、自動車屋根と平行に配置される位置から、実質的に垂直位置に傾斜でき、垂直軸線の回りで回転でき、実質的に走行方向へ延びる。
【特許文献１】ドイツ国実用新案公開第２００１２４８８号公報
【特許文献２】ドイツ国特許公開第１０１５３１５３号公報
【発明の開示】
【発明が解決しようとする課題】
【０００５】
本発明の目的は、構成部品、特にサンバイザを固定する自動車の固定装置を提供することであり、固定装置により、構成部品は自動車内で非常に柔軟に配置でき、様々の方法で調整でき、使用者の高度な快適要求が達成できる。
【課題を解決するための手段】
【０００６】
この目的は、構成部品、特にサンバイザを固定する自動車の固定装置により達成され、固定装置は、第１の軸、特に垂直軸線の回りで旋回できるが、他方、車体に関して固定される片持ちアームを備え、構成部品は、第２の軸、特に水平回転軸線の回りで片持ちアームに関して傾斜でき、構成部品が第２回転軸線の回りで傾斜できるという事実に加えて、構成部品は、構成部品の位置が片持ちアームに関して変更できるように設けられる。
【０００７】
片持ちアームは、自動車の空間的な条件に依存して、自動車内の構成部品の柔軟な配置を許容する。サンバイザの固定のため、本発明による固定装置を使用する時、片持ちアームは、例えば、風防ガラスおよび／または側窓からの間隔、自動車屋根の高さおよび／または風防ガラスの傾斜に適応できる。
【０００８】
この発明でいう第２回転軸線の回りの傾斜可能性に関する位置をさらに変更できる可能性は、例えば、軸またはロッドに沿った直線移動可能性または別の（第３）の回転軸線の回りの構成部品の回転可能性である。位置をさらに変更できる追加の可能性は、自動車内の構成部品の移動性を非常に柔軟にできる。それ故、サンバイザを固定する固定装置を使用すると、前記サンバイザは遮光装置として非常に効率的に調整できる。
【０００９】
例えば、構成部品はサンバイザ、表示装置またはランプである。
【００１０】
好ましくは、構成部品は片持ちアームに固定される傾斜アームに連結され、第２回転軸線の回りで片持ちアームに関して傾斜でき、傾斜アームに関して移動可能に設けられる。傾斜アームは、自動車の空間的条件に対して固定装置の更なる適応を可能とする。サンバイザを固定する固定装置を使用する時、傾斜アームは、特に、自動車屋根の高さおよび／または使用者の頭の高さに対する適応を許容する。
【００１１】
好ましい実施例では、構成部品は、傾斜アームに沿って縦方向に移動できるために設けられ、使用者自体により移動できる。それ故、使用者は、例えば、構成部品を使用者のサイズに対する要求に適応できる。使用者は、本発明によると、固定装置により固定されるサンバイザを使用者の目の水準に適応できる。
【００１２】
さらに、好ましい実施例では、構成部品は、第３回転軸線の回りで傾斜アームに関して回転できるために設けることができる。
好ましくは、第３回転軸線は、第２回転軸線に対して実質的に平行に配置され、傾斜アームは第３回転軸線の回りで回転される構成部品の位置、すなわち、折り畳み位置で延長部として作用する。
さらに、構成部品は、例えば、ボール−ソケット継手により（実質的に走行方向で第３回転軸線に対して）傾斜できるために設けられ、傾斜アームに関する構成部品の角度は任意の仕方で実質的に調整できる。
【００１３】
片持ちアームに対する傾斜アームの固定は、また、ボール−ソケット継手によりでき、傾斜アームは、また、片持ちアームに関して任意の角度で実質的に調整できることを、当業者は理解している。
【００１４】
好ましくは、片持ちアームは保持手段と担体部分を備える。保持手段は、好ましくは、車体に関する回転に関して固定して配置され、担体部分は第１回転軸線の回りで回転できる。さらに、好ましくは、保持手段は、車体に関して回転可能に設けられ、担体部分は保持手段上で回転に関して固定して配置される。
【００１５】
固着装置は、好ましくは、少なくとも部分的にプラスチック材料または金属から生産される。さらに、好ましくは、担体部分および／または傾斜アームは１本または２本の支柱を備える。好ましくは、支柱はワイヤから製造され、非常に費用対効果的に製造できる。類似の好ましい実施例では、傾斜アームは二次元に延びて、次に、サンバイザとして作用する。
【００１６】
特に好ましくは、第１回転軸線と第２回転軸線との間の空間は変更でき、使用者は、この空間を使用者自身に適合させることができる。
【００１７】
好ましい実施例では、固定装置は構成部品の位置を変更する能力を制限する停止手段を備え、構成部品の操作を困難にし、または、使用者を妨げる位置に設定できないようにする。構成部品の操作は、それ故、簡単で信頼のおける仕方で可能である。
【００１８】
サンバイザを固定する固定装置を使用する時、第１回転軸線の回りの片持ちアームの回転は、特に、停止手段により抑制でき、サンバイザは、行程中に使用者により、最早、到達できないようにして使用者により回転できない。
【００１９】
特に好ましくは、停止手段はセンサを備える。結果として、例えば、第１回転軸線の回りの構成部品の旋回を検出できる。それ故、構成部品に調整は、例えば、少なくとも部分的に自動化でき、または、構成部品の調整は表示できる。
【００２０】
さらに、好ましくは、構成部品の旋回、傾斜または移動は、抑制されるように設けられ、構成部品の可能な調整範囲は使用者により検出でき、それで、構成部品の操作は、より簡単で信頼できる。
【００２１】
本発明による固定装置は、非常に柔軟に使用でき、使用者が、固定装置により構成される構成部品を、様々の方法で調整できるようにする。様々の方法で、前記構成部品を調整する能力により、前記構成部品は非常に柔軟に配置され、自動車内の空間条件に容易に適合される。
【００２２】
本発明の別の主題は、本発明による固定装置を備えた自動車の構成部品、特にサンバイザである。構成部品は、自動車内で非常に柔軟に配置される。さらに、構成部品は、使用者により非常に容易に様々の方法で調整できる。
【発明を実施するための最良の形態】
【００２３】
次に、図面を参照して本発明を説明する。図面は、例として示すだけであり、全体的な発明思想を限定しない。
【００２４】
図１は、構成部品６を備えた本発明による固定装置５を斜視図で示す。固定装置５は、第１の特に垂直回転軸線３の周囲で旋回できる片持ち梁アーム４を備え、垂直回転軸線は別な方法で車体に関して固定される。片持ち梁アーム４は保持手段１と担体部分２を備える。構成部品６は、第２の特に水平の回転軸線７．３の周囲で片持ち梁アーム４に関して傾斜できる。構成部品は第２回転軸線７．３の周囲で傾斜できるという事実に加えて、構成部品の位置は片持ち梁アーム４に関して変更できるように、構成部品６は設けられる。前記部品は片持ち梁アーム４に固定される傾斜アーム７上に配置され、傾斜アーム７は、第２回転軸線７．３の周囲で片持ち梁アーム４に関して傾斜できる。さらに、構成部品６は傾斜アーム７上で第３回転軸線７．４の周囲で回転可能に配置でき、第３回転軸線７．４は特に、図１の例により示されるように、第２回転軸線７．３と平行に配置されるか、または、図２の例により示されるように、第２回転軸線３に関して実質的に垂直に配置されるか、または、２本の回転軸線３、７．３に対して異なる角度で配置される。
【００２５】
この実施例では、担体部分２と傾斜アーム７はそれぞれ、二本の支柱１０を備える。
【００２６】
図２は、構成部品６を備える固定装置５の基本形状の側面図を示す。固定装置５は、第１回転軸線３の回りで旋回できる片持ち梁アーム４と、保持手段１と、担体部分２とを備える。構成部品６は第２回転軸線７．３の回りで傾斜アーム７と共に傾斜され、構成部品の傾斜運動は矢印Ｋにより示される。特に、構成部品６の位置を変更するさらなる可能性が設けられ、可能性は、第２回転軸線７．３の周囲での構成部品の傾斜に加えて、構成部品６の可動性を与える。
【００２７】
第１回転軸線３および第２回転軸線７．３の回りの回転は、それぞれ、可逆式に行われる。
【００２８】
図３は、構成部品６を持つ本発明による固定装置５の特別に好ましい実施例の側面図を示す。図２とは対照的に、この場合、傾斜アーム７は２つの端部を持つ延長部７．１として設けられ、延長部７．１は、一方の端部で第２回転軸線７．３の回りで担体部分２上に傾斜可能に配置され、構成部品は、他方の端部で、第２回転軸線７．３と実質的に平行に延びる第３回転軸線７．４の回りで回転可能に配置される。第３回転軸線７．４の回りで回転は、また、可逆式に行われる。
【００２９】
図ａは、第２回転軸線７．３の回りでの延長部７．１の傾斜後の構成部品６を示し、傾斜方向は矢印Ｋにより示される。
【００３０】
図ｂは、第３回転軸線７．４の回りで追加して回転される位置での構成部品６を示し、回転方向は矢印Ｓにより示される。
【００３１】
図４は、構成部品６を備える本発明による固定装置５の別の好ましい実施例の側面図を示す。図３の実施例と対照的に、前記実施例のアーム７は伸縮自在アーム７．２として構成される。図ａにおいて、順番に、構成部品６が第２回転軸線７．３の回りで傾斜され、他方、構成部品は図ｂにおいて追加して長手方向に移動される。構成部品６の移動は矢印Ｌにより示される。構成部品６は反対方向へ押し戻されることができる。この実施例では、第３回転軸線７．４は設けられない。
【００３２】
図５は、図Ａ乃至図Ｃにおいて、図３乃至図５の実施例の固定装置のそれぞれの側面図を示し、特に、構成部品６はサンバイザである。それで、以後、用語、構成部品とサンバイザは同義語で使用される。
【００３３】
本発明による固定装置５を備えるサンバイザ６は、従来のサンバイザの方式で第２回転軸線７．３の回りで折り畳むことができる。
【００３４】
本発明による固定装置５は、好ましくは、図示しない自動車シートを使用する人の頭８上に配置される。しかし、第２回転軸線７．３から第１回転軸線３の間隔９は、好ましくは、自動車条件および／または、例えば、担体部分２の長さを変更することにより使用者による快適さ要求に必ずしも適合できない。それで、例えば、固定装置５の間隔に依存する間隔９または、風防ガラスまたは側窓の傾斜は、例えば、オフ・ロード自動車またはセダン自動車のような異なる自動車のタイプで前記間隔または傾斜が相当に変化するように、適合できる。
【００３５】
図Ｂで示されるように、傾斜アーム７として伸縮自在アーム７．２または図Ｃで示されるように、傾斜アーム７として延長部７．１を使用することにより、従来の自動車の座標系のＺ方向でのサンバイザ６の位置を意味するサンバイザ６の高さは、サンバイザ６の遮光効果が、また、自動車シートを使用する小さい人にとって十分であることを確実にされるように調整できる。
【００３６】
図は、使用者の視界方向１１と遮光角度１２とを示す。本発明によるサンバイザ６は、使用者の視界方向１１がサンバイザ６により覆われないように使用者により調整できる。同時に、最適な遮光装置が確保される。
【００３７】
図６は、自動車内の図５のサンバイザ６と、平面図で自動車の屋根から見て固定装置５により可能となる第１回転軸線３の回りの３つの位置におけるサンバイザの旋回性とを概略的に示す。図面は、第２回転軸線７．３の回りで傾斜された位置でのサンバイザ６を示す。保持手段１は、好ましくは、使用者の頭の実質的に中心および使用者の前方に配置され、担体部分２は自動車の走行の方向Ｆに向かい、サンバイザ６は保持手段１と使用者の頭から離間される。走行の方向は、矢印Ｆにより示される。第１軸線３の回りの片持ちアーム４の回転により、サンバイザ６は、遮光装置が頭の側への入射光に対抗できるように旋回できる。第１回転軸線３の回りの旋回は矢印Ｄにより示される。
図６の担持体２は一本の支柱１０から成っている。
【００３８】
図７は、構成部品６を備えた本発明による固定装置５の斜視図を示し、固定装置５の傾斜アーム７は２次元に延びる。それで、傾斜アーム７は、前記の実施例では延長部として作用するのみならず、また、同時にサンバイザとして使用できる。さらに、第３回転軸線７．４は、第２回転軸線７．３と実質的に平行で追加して設けられ、延長部７．１が第２回転軸線７．３の回りで傾斜される時に、サンバイザ６は第２回転軸線の回りで回転できる。
図面は、第３回転軸線７．４の回りで回転された位置でのサンバイザ６を示す。遮光表面は、延長部７．１の２次元連続により相当に増加され、使用者のための遮光効果は相当に改良されるのが分かる。
【００３９】
当業者は、伸縮自在アーム７．２として構成される傾斜アーム７が、また、２次元に延びて、伸縮自在アーム７．２の延長部が連続的に拡大される遮光表面を生じることを理解する。
【００４０】
サンバイザ６を備えた本発明による固定装置は、全ての要求される位置において、特に、自動車の前柱の区域での入射光で遮光提供を許容する。固定装置は、特に好ましくは、高い風防ガラスと自動車屋根内の狭い後方横断支柱を備えた自動車に使用される。
【図面の簡単な説明】
【００４１】
【図１】構成部品を備えた本発明による固定装置を概要で斜視図により示す。
【図２】構成部品を備えた本発明による固定装置の基本形状の側面図を示す。
【図３】構成部品を備えた固定装置の別の好ましい実施態様の側面図を示す。
【図４】構成部品を備えた本発明による固定装置の別の好ましい実施態様の側面図を示す。
【図５】図３乃至図５の実施態様の固定装置の側面図を示す。
【図６】構成部品を備えた本発明による固定装置と、自動車屋根から見て、平面図で第１回転軸線の回りの固定装置の３つの位置の回転可能性とを概要で示す。
【図７】構成部品と、２次元に延びる固定装置の傾斜アームとを備えた本発明による固定装置の斜視図を示す。
【符号の説明】
【００４２】
１  保持手段  ２  担体部分  ３  第１回転軸線
４  片持ちアーム  ５  固定装置  ６  構成部品  
７  傾斜アーム  ７．１  延長部  ７．２  伸縮自在アーム
７．３  第２回転軸線  ７．４  第３回転軸線  
８  使用者の頭  ９  第１回転軸線と第２回転軸線との間の間隔
１０  支柱  １１  視界方向  遮光角度
【図１】
2008532847.tif 000003
【図２】
2008532847.tif 000004
【図３】
2008532847.tif 000005
【図４】
2008532847.tif 000006
【図５Ａ】
2008532847.tif 000007
【図５Ｂ】
2008532847.tif 000008
【図５Ｃ】
2008532847.tif 000009
【図６】
2008532847.tif 000010
【図７】
2008532847.tif 000011
【国際調査報告】
2008532847.tif 000012
2008532847.tif 000013
2008532847.tif 000014
2008532847.tif 000015
2008532847.tif 000016
2008532847.tif 000017